(57)【要約】照明装置は、光源（１６）と、面状導光板（１８）とを備える。面状導光板（１８）は、対向する表面と、側面と、端面を有し、複数のプリズム（２８）が一方の端面（２３）に設けられる。複数のプリズム（２８）は線状導光板の機能を有し、一体型の面状導光板を提供する。複数のプリズム（２８）の形状は位置に従って変えられており、光源（１６）は光が側面に端面の近くの位置から入射するように配置される。対向する表面の一方は面状導光板の内部を伝播する光を対向する表面の一方から出射させるための手段（２６）を有する。また、面状導光板の側面又は裏面にスリット（３０，３２）又は溝（３４）を設ける。液晶表示装置はそのような照明装置を含む。
2005017407.tif 000002
【特許請求の範囲】
【請求項１】
光源と、面状導光板とを備え、該面状導光板は、対向する表面と、側面と、端面を有し、複数のプリズムが一方の端面に設けられ、該複数のプリズムの形状は位置に従って変えられており、該光源は光が該側面に該端面の近くの位置から入射するように配置され、該対向する表面の一方は該面状導光板の内部を伝播する光を出射させるための手段を有することを特徴とする照明装置。
【請求項２】
該対向する表面の一方に設けられた前記手段は複数のプリズムからなることを特徴とする請求項１に記載の照明装置。
【請求項３】
該一方の端面はほぼまっすぐに形成されることを特徴とする請求項１に記載の照明装置。
【請求項４】
該一方の端面は中央部が端部よりも外側へ突出するように曲がって形成されることを特徴とする請求項１に記載の照明装置。
【請求項５】
該一方の端面の複数のプリズムは、ほぼ点光源からの光を略平行光に変換することを特徴とする請求項１に記載の照明装置。
【請求項６】
複数のプリズムは、ほぼ点光源からの光を視認者の目に集光する光に変換することを特徴とする請求項１に記載の照明装置。
【請求項７】
該面状導光板は該複数のプリズムの近くに溝又はスリットを有することを特徴とする請求項１に記載の照明装置。
【請求項８】
該面状導光板は該側面又は他方の表面に複数のプリズムを有することを特徴とする請求項１に記載の照明装置。
【請求項９】
光源と、面状導光板とを備え、該面状導光板は、対向する表面と、側面と、端面を有し、複数のプリズムが一方の端面に設けられ、該光源は光が該側面に該端面の近くの位置から入射するように配置され、該面状導光板は該複数のプリズムの近くに溝又はスリットを有し、該対向する表面の一方は該面状導光板の内部を伝播する光を出射させるための手段を有することを特徴とする照明装置。
【請求項１０】
液晶パネルと、該液晶パネルを照明するための照明装置とを備え、該照明装置は、
光源と、面状導光板とを備え、該面状導光板は、対向する表面と、側面と、端面を有し、複数のプリズムが一方の端面に設けられ、該複数のプリズムの形状は該端面に沿った位置に従って変わっており、該光源は光が該側面に該端面の近くの位置から入射するように配置され、該対向する表面の一方は該面状導光板の内部を伝播する光を該対向する表面の一方から出射させるための手段を有することを特徴とする液晶表示装置。
【請求項１１】
液晶パネルと、該液晶パネルを照明するための照明装置とを備え、該照明装置は、
光源と、面状導光板とを備え、該面状導光板は、対向する表面と、側面と、端面を有し、複数のプリズムが一方の端面に設けられ、該光源は光が該側面に該端面の近くの位置から入射するように配置され、該面状導光板は該複数のプリズムの近くに溝又はスリットを有し、該対向する表面の一方は該面状導光板の内部を伝播する光を該対向する表面の一方から出射させるための手段を有することを特徴とする液晶表示装置。
【発明の詳細な説明】
【技術分野】  本発明は照明装置及び液晶表示装置に関する。
【背景技術】  液晶表示装置は薄くて軽いため、携帯型の情報端末のディスプレイとして広く用いられている。液晶自体は発光しない受光型素子であるため、液晶表示装置は液晶パネルを照明するための照明装置を含む。液晶表示装置は透過型の液晶表示装置及び反射型の液晶表示装置に分類される。透過型液晶表示装置は背面側に照明装置（バックライト）が配置され、反射型液晶表示装置は前面側に照明装置（フロントライト）が配置される。反射型液晶表示装置は太陽光、あるいは室内灯により光が照射されるため、その条件下では照明手段を必要としないが、照明環境にない場合は、照明手段が必要となる。いずれの場合にも、直線偏光の光が液晶を透過するときにその特性から位相が変調され、カラーフィルタを透過し、偏光子によって透過又は遮光されることで１つのドットの白黒表示が形成される。ドットが複数個配設されていることで文字情報あるいは画像情報となる。
従来の照明装置は、光源と、線状導光板と、面状導光板から構成されている（例えば、特開平１０−２６０４０５号公報及び特開２００３−７７３２６号公報参照）。ＬＥＤ等の光源は線状導光板の側部に配置され、線状導光板は面状導光板と隣接して配置されている。光源の光は線状導光板の側面に入射し、線状導光板の端面に設けられた複数のプリズムで反射して面状導光板に入射する。面状導光板はプリズム等の光出射手段を有し、面状導光板の内部を伝播する光が液晶パネルに向かって出射する。
さらに、照明装置は、面内の明るさの分布が均一であることが望ましい。近年、情報端末で使用される液晶パネルおよび液晶表示装置はカラー化、高輝度化、高解像度化といった表示品質の向上と、コスト低減を可能にする簡単な構成の照明装置が求められている。
しかし、上記した照明装置では、光源と、線状導光板と、面状導光板とが別々に作られ、１つのアッセンブリとして組み立てられていたため、使用部品が多く、組み立てに工数を要し、コストが高くなる問題があった。
【発明の開示】
本発明の目的は明るさの分布が均一で安価な照明装置およびその照明装置を含む液晶表示装置を提供することである。
本発明による照明装置は、光源と、面状導光板とを備え、該面状導光板は、対向する表面と、側面と、端面を有し、複数のプリズムが一方の端面に設けられ、該複数のプリズムの形状は位置に従って変えられており、該光源は光が該側面に該端面の近くの位置から入射するように配置され、該対向する表面の一方は該面状導光板の内部を伝播する光を出射させるための手段を有することを特徴とするものである。
また、本発明による照明装置は、光源と、面状導光板とを備え、該面状導光板は、対向する表面と、側面と、端面を有し、複数のプリズムが一方の端面に設けられ、該光源は光が該側面に該端面の近くの位置から入射するように配置され、該面状導光板は該複数のプリズムの近くに溝又はスリットを有し、該対向する表面の一方は該面状導光板の内部を伝播する光を出射させるための手段を有することを特徴とするものである。
さらに、本発明による液晶表示装置は、液晶パネルと、該液晶パネルを照明するための照明装置とを備える。この照明装置は、上記したいずれかの構成のものとすることができる。
上記構成によれば、面状導光板の端面に線状導光板の機能を有する複数のプリズムを設け、面状導光板を従来の線状導光板と一体化することで、明るさの分布などの表示品質を維持したまま、従来別部品として形成されていた線状導光板を削除し、よって使用部材の数を低減してコスト低減を可能とする。
特に、面状導光板の一端部に設けられた複数のプリズムの角度を位置に応じて変えることで、面状導光板の出射光の明るさの分布を均一にすることが可能である。
さらに、面状導光板は複数のプリズムの近くに溝又はスリットを有する構成にすることで、溝又はスリットの表面で全反射した光を複数のプリズムで方向変換させ、面状導光板に入射した光を有効に利用することができるようになり、明るさを改善することができる。
【図面の簡単な説明】  図１は本発明の実施例のバックライトを有する液晶表示装置を示す斜視図である。
図２は本発明の実施例のフロントライトを有する液晶表示装置を示す斜視図である。
図３は本発明の実施例の照明装置を示す斜視図である。
図４は比較例の照明装置を示す斜視図である。
図５は面状導光板から出射する光の明るさを示す図である。
図６は面状導光板の端面に設けられたプリズムの形状を説明する図である。
図７は図３の面状導光板の端面に設けられた中央部に位置するプリズムの形状を説明する図である。
図８は図３の面状導光板の端面に設けられた端部に位置するプリズムの形状を説明する図である。
図９は集光する光とともに示した液晶表示装置の例を示す斜視図である。
図１０は他の例の面状導光板の端面に設けられた中央部に位置するプリズムの形状を説明する図である。
図１１は他の例の面状導光板の端面に設けられた端部に位置するプリズムの形状を説明する図である。
図１２は平行に進む光とともに示した液晶表示装置の例を示す斜視図である。
図１３は他の例の面状導光板を示す斜視図である。
図１４は図１３の面状導光板のプリズムの形状を示す図である。
図１５は他の例の面状導光板を示す斜視図である。
図１６は図１５の面状導光板のプリズムの形状を示す図である。
図１７は他の例の面状導光板を示す斜視図である。
図１８は他の例の面状導光板を示す斜視図である。
図１９は図１８の面状導光板の略平面図である。
図２０は他の例の面状導光板を示す斜視図である。
図２１は図２０の面状導光板の略平面図である。
図２２は他の例の面状導光板を示す斜視図である。
図２３は図２２の面状導光板の略側面図である。
図２４は図２２の面状導光板の略底面図である。
図２５は他の例の面状導光板を示す斜視図である。
図２６は他の例の面状導光板を示す斜視図である。
図２７は他の例の面状導光板を示す斜視図である。
【発明を実施するための最良の形態】  図１は本発明の実施例のバックライトを有する液晶表示装置を示す斜視図である。液晶表示装置１０は液晶パネル１２と、液晶パネル１２の背面側に配置された照明装置１４とからなる。液晶パネル１２は一対のガラス基板の間に封入された液晶を含み、偏光子が液晶パネル１２の両側に配置される。この場合、照明装置１４の光は液晶パネル１２を透過して、視認者に達する。
図２は本発明の実施例のフロントライトを有する液晶表示装置を示す斜視図である。液晶表示装置１０は液晶パネル１２と、液晶パネル１２の前面側に配置された照明装置１４とからなる。液晶パネル１２は反射膜を有する反射型の液晶パネルであり、照明装置１４の光は液晶パネル１２の液晶を透過した後で反射膜で反射し、再度液晶を透過して液晶パネル１２から出射する。図１及び図２において、明るさの分布を均一にするために、照明装置１４とともに、散乱板やＢＥＦシート等の種々の光学部材や光学フィルムを用いてもよい。
図３は本発明の実施例の照明装置を示す斜視図である。この照明装置１４（及び後で説明する照明装置１４）は図１及び図２の照明装置１４として使用可能である。図１から図３において、照明装置１４は、光源１６と、面状導光板１８とからなる。光源１６は白色ＬＥＤからなる点光源である。面状導光板１８は透明な樹脂またはガラスで作られ、対向する表面１９，２０と、側面２１，２２と、端面２３，２４を有するほぼ矩形の板からなる。表面１９は光が出射する表面であり、面状導光板１８の内部を伝播する光を出射させるための手段としての複数のプリズム２６を備える。プリズム２６は面状導光板１８の軸線に対して垂直な方向に側面２１から端面２２へ延びる。なお、光を出射させるための手段は、プリズム２６に限定されるものではなく、散乱層や反射層としてもよい。
複数のプリズム２８が面状導光板１８の端面２３に設けられる。プリズム２８は表面１９に垂直に表面１９から表面２０へ延び、プリズム２８には反射膜がコーティングされている。光源１６は各側面２１，２２の端面２３の近くの位置に配置される。すなわち、光源１６は光が面状導光板１８の側面２１，２２に端面２３の近くの位置から入射するように配置される。面状導光板１８に入射した光は複数のプリズム２８で反射して方向を変え、面状導光板１８の内部をほぼ面状導光板１８の軸線と平行な方向（側面２１，２２と平行な方向）に進み、最終的に表面１９から出射する。
図４は比較例の照明装置を示す斜視図である。従来の照明装置は、光源１６ａと、線状導光板１７ａと、面状導光板１８ａから構成されている。線状導光板１７ａは複数のプリズム２８ａを有する。光源１６ａは線状導光板１７ａの側部に配置され、線状導光板１７ａは面状導光板１８ａと隣接して配置されている。光源１６ａの光は線状導光板１７ａの側面に入射し、線状導光板１７ａの端面に設けられた複数のプリズム２８ａで反射して面状導光板１８ａに入射する。面状導光板１８ａの内部を伝播する光が液晶パネルに向かって出射する。
図３に示した照明装置１４の作用は図４に示した照明装置の作用と基本的に同様である。しかし、図４に示した照明装置では、光源１６ａと、線状導光板１７ａと、面状導光板１８ａとが別々に作られ、１つのアッセンブリとして組み立てられていたため、使用部品が多く、組み立てに工数を要し、コストが高くなる。これに対して、本発明では、面状導光板１８の端面２３に線状導光板１８ａの機能を有する複数のプリズム２８を設けることで、光学特性を維持し、使用部品数を低減し、低コスト化を実現することができる。
本発明の実施例においては、面状導光板１８の端面２３に設けられた複数のプリズム２８の形状は端面２３に沿った位置に従って変えられている。すなわち、光源１６を出てプリズム２８の斜面で反射した光が面状導光板１８の軸線とほぼ平行に進むように、プリズム２８の形状は変えられている。ほぼ平行な光が得られるようにプリズム２８の形状を変えれば、図５に示されるように、均一な明るさの分布の表明装置を得ることができる。
図６は面状導光板１８の端面２３に設けられたプリズム２８の形状を説明する図である。ｎは面状導光板１８の端面２３に設けられたプリズム２８の数である。一部のプリズム２８のみが示されているが、多数のプリズム２８が一定のピッチで設けられている。他の図においても一部のプリズム２８のみが示されているが、この場合にも、多数のプリズム２８が一定のピッチで設けられている。例えば、２インチの液晶パネルの場合、プリズム２８は０．２３ｍｍのピッチで１５０個設けられる。
各プリズム２８は２つの斜面を含む。一方の光源１６を向いたプリズム２８の斜面の傾斜角度をθｎとする。この場合、角度θｎは面状導光板１８の軸線に垂直な線（端面２３に平行な線）に対する角度である。θｏｕｔは光源１６を出てプリズム２８の斜面で反射した光の面状導光板１８の軸線と平行な直線に対する角度である。また、面状導光板１８の幅をＬ、光源１６と面状導光板１８との間の距離をΔＬとする。ΔＬはできるだけ０に近くする。さらに、光源１６の中心と面状導光板１８の端面２３（プリズム２８の斜面の外端部）との間の距離をｔ／２とする。Ｘｎは面状導光板１８の側面２１とｎ番目のプリズム２８との間のＸ方向の距離である。
一方の光源１６を向いたプリズム２８の斜面の傾斜角度θｎは次の式（１）によって定められる。
2005017407.tif 000003
このようにして、一方の光源１６を向いたプリズム２８の一方の斜面の傾斜角度を求めることができる。さらに、他方の光源１６を向いたプリズム２８のもう一方の斜面の傾斜角度についても同様にして求めることができる。また、一方の光源１６を向いたプリズム２８の一方の斜面の傾斜角度を上記したようにして求め、他方の光源１６を向いたプリズム２８のもう一方の斜面の傾斜角度については、プリズム２８の溝の中心各θｐを一定にする条件で求めることもできる。こうすれば、プリズム２８の切削加工をより低コストで実施することが可能になる。また、プリズム２８の形状は全て１個ずつ変える必要はなく、幾つかのプリズム２８のグループ毎に形状を変えてもよい。
図７から図９はプリズム２８の形状の一例を示す図である。図７は端面２３の中央部に位置するプリズム２８の形状を説明する図である。中央部に位置するプリズム２８の形状は、θｏｕｔを０度としてθｎを求める。図８は端面２３の端部に位置するプリズム２８の形状を説明する図である。端部に位置するプリズム２８の形状は、θｏｕｔを−３度としてθｎを求める。この場合、図９に示されるように、液晶パネル１２を見る場合に、視認者の目に±３度の範囲内で集光する光が入ることになる。例えば、携帯電話では手の長さと目の位置関係から画面の端では＋３度、もう一方の端では−３度、中心では０度といったように±３度の光が目に入射するようにするのが好ましい。このように、複数のプリズム２８の形状（角度）をプリズム２８の位置に従って所望の角度（例えば＋３度から−３度）になるように変化させることで、照明光学系の分布が均一になる。なお、面状導光板１８のプリズム２６は、視認者の目に集光するような角度で配置した場合、より明るくすることが可能である。
図１０から図１２はプリズム２８の形状の一例を示す図である。図１０は端面２３の中央部に位置するプリズム２８の形状を説明する図である。中央部に位置するプリズム２８の形状は、θｏｕｔを０度としてθｎを求める。図１１は端面２３の端部に位置するプリズム２８の形状を説明する図である。端部に位置するプリズム２８の形状は、θｏｕｔを０度としてθｎを求める。この場合、図１２に示されるように、液晶パネル１２を見る場合に、視認者の目に平行光が入ることになる。図９の構成では、全ての光を一点に集光するため、非常に明るくすることが可能であるが、目の位置が集光点からずれると、表示が暗くなる。そこで、図１２に示すように、照明装置１４から平行な光が出射し、どの位置へも均一に光が届くようにすれば、全体的に表示を明るくすることが可能である。
以上説明した例では、面状導光板１８の端面２３はほぼまっすぐに形成されている。すなわち、複数のプリズム２８の斜面の外端部は一直線上に並んで設けられている。これに対して、面状導光板１８の端面２３は中央部が端部よりも外側へ突出するように曲がって形成されることができる。すなわち、複数のプリズム２８の頂部は湾曲した線上に設けられている。このように、面状導光板１８の端面２３を外に凸の多角形または曲面とすることで、明るさを改善することが可能になる。こうすれば、１枚の面状導光板１８で、さらに良好な光学特性を得ることが可能で、低コスト化を実現することが可能になる。以下、この特徴をもった面状導光板１８について説明する。
図１３は他の例の面状導光板を示す斜視図である。複数のプリズム２８がある面状導光板１８の端面２３が多角形形状となっている。図１４は図１３の面状導光板１８のプリズム２８の形状を示す図である。プリズム２８の形状は上記した式（１）を使用して定めることができる。この場合、端面２３の形状が変わることで、式（１）のｔの値が変わる。端面２３の端部では、光源１６から大きな角度で入射した光を利用することができる。また、端面２３の中央部では、光源１６から比較的に小さな角度で入射した光を近くの他のプリズム２８に影響されることなく利用することができる。このように、端部及び中央部をより明るくすることが可能になり、全体として中心をより明るくすることが可能になる。
図１５は他の例の面状導光板を示す斜視図である。複数のプリズム２８がある面状導光板１８の端面２３が曲面形状となっている。図１６は図１５の面状導光板１８のプリズム２８の形状を示す図である。この実施例でも、図１３及び図１４の多角形形状の端面２３を有する場合と同様に、中心をより明るくするとともに、多角形のように角張りがないから、より高い表示品質を得ることが可能である。複数のプリズム２８の角度は、光源１６の略中心からの光を、平行な光にするように定めることができる。あるいは、複数のプリズム２８の角度は、視認者の目に集光するように定めることができる。
図１７は他の例の面状導光板を示す斜視図である。この実施例では、２つの光源１６が面状導光板１８の各側面２１，２２に配置される。片側に複数の光源１６を配置することで、より明るくすることが可能になる。
図１８から図２４は他の例の面状導光板を示す斜視図である。これらの実施例では、面状導光板１８の端面２３には複数のプリズム２８が設けられている。従って、これらの実施例は前に説明した実施例と基本的に同様な作用を有する。さらに、これらの実施例では、面状導光板１８は複数のプリズム２８の近くに溝又はスリットを有する。溝又はスリットは面状導光板１８の軸線に対して垂直な線に沿って延びる。また、これらの実施例では、端面２３は曲面形状となっているが、端面２３は曲面形状のものに限定されるものではない。
図１８は他の例の面状導光板を示す斜視図である。図１９は図１８の面状導光板の略平面図である。図１８及び図１９において、面状導光板１８は複数のプリズム２８の近くにスリット３０を有する。スリット３０は光源１６の延長線に対して端面２３の反対側に設けられる。スリット３０は面状導光板１８の軸線に対して垂直な線に沿って延びる。スリット３０は面状導光板１８の両表面１９，２０間を貫通するスリットであり、それぞれ面状導光板１８の側面２１，２２から内部へ向かって所定の距離延びている。面状導光板１８は両スリット３０の間において連続している。
スリット３０の端面２３側の表面３０ａは光源１６から出て面状導光板１８の内部を進む光に対して全反射面を提供する。光源１６から面状導光板１８に入る光は、面状導光板１８内を種々の角度で進む。上記実施例では、面状導光板１８の端面２３に向かって進む光は端面２３のプリズム２８で反射して面状導光板１８の軸線に対してほぼ平行な方向に方向変換されるが、面状導光板１８の端面２３とは反対側に向かって進む光はそのままの角度で面状導光板１８の内部を伝播し、大きな角度で面状導光板１８の表面１９から出る。大きな角度で面状導光板１８の表面１９から出る光は実質的に表示に寄与しない。従って、スリット３０を設けることにより、図１９に矢印で示されるように端面２３とは反対側へ向かって進む光は、表面３０ａで全反射して端面２３へ向かって進むようになる。このようにして端面２３へ向かって進む光は端面２３のプリズム２８で反射して方向変換され、面状導光板１８の軸線に対して平行に近い角度で面状導光板１８の内部を伝播するようになる。このようにして、面状導光板１８に入射した光を有効に利用することができるようになり、明るさを改善することができる。
図２０は他の例の面状導光板を示す斜視図である。図２１は図２０の面状導光板の略平面図である。図２０及び図２１において、面状導光板１８は複数のプリズム２８の近くにスリット３２を有する。スリット３２は面状導光板１８の両表面１９，２０間を貫通するスリットであり、面状導光板１８の中間部に設けられ、面状導光板１８の軸線に対して垂直な線に沿って延びる。面状導光板１８はスリット３２の両側において連続している。
この場合にも、スリット３０は光源１６の延長線に対して端面２３の反対側に設けられ、スリット３２の端面２３側の表面３２ａは面状導光板１８内を進む光に対して全反射面を提供する。従って、この実施例の作用は前の実施例の作用と同様である。
図２２は他の例の面状導光板を示す斜視図である。図２３は図２２の面状導光板の略側面図である。図２４は図２２の面状導光板の略底面図である。図２２から図２４において、面状導光板１８は複数のプリズム２８の近くに溝３４を有する。溝３４は面状導光板１８の表面２０側に開口する溝であり、面状導光板１８の両側面２１，２２間を、面状導光板１８の軸線に対して垂直な線に沿って延びる。面状導光板１８は溝３４の上側の部分において連続している。
この場合にも、溝３４は光源１６の延長線に対して端面２３の反対側に設けられ、スリット３２の端面２３側の表面３４ａは面状導光板１８内を進む光に対して全反射面を提供する。従って、この実施例の作用は前の実施例の作用と同様である。
図２５から図２７は他の例の面状導光板を示す斜視図である。これらの実施例では、面状導光板１８の端面２３には複数のプリズム２８が設けられている。従って、これらの実施例は前に説明した実施例と基本的に同様な作用を有する。さらに、これらの実施例では、面状導光板１８は側面２１，２２又は底面２０にさらなる複数のプリズムを備える。また、これらの実施例では、端面２３は曲面形状となっているが、端面２３は曲面形状のものに限定されるものではない。
図２５においては、面状導光板１８の側面２１，２２にさらなる複数のプリズム３６を備える。光源１６を出て面状導光板１８の端面２３とは反対側に向かって進む光は、プリズム３６で反射して端面２３へ向かって進むようになる。このようにして端面２３へ向かって進む光は端面２３のプリズム２８で反射して方向変換され、面状導光板１８の軸線に対して平行に近い角度で面状導光板１８の内部を伝播するようになる。このようにして、面状導光板１８に入射した光を有効に利用することができるようになり、明るさを改善することができる。
図２６においては、面状導光板１８の底面２０にさらなる複数のプリズム３８を備える。面状導光板１８の表面１９のプリズム２６は面状導光板１８の軸線に対して垂直に延びるのに対して、面状導光板１８の底面２０のプリズム３８は面状導光板１８の軸線に対して平行に延びる。従って、光源１６を出て面状導光板１８の端面２３とは反対側に向かって進む光は、関連する光源１６を向いたプリズム３８の斜面で反射して上向きに方向変換され、表面１９から出射できるようになる。このようにして、面状導光板１８に入射した光を有効に利用することができるようになり、明るさを改善することができる。
図２７においては、面状導光板１８の底面２０にさらなる複数のプリズム４０を備える。プリズム４０は面状導光板１８の軸線に対して斜めに且つ互いに交差するように延びるものである。従って、光源１６を出て面状導光板１８の端面２３とは反対側に向かって進む光は、図２６のプリズム３８のように光を上向きに方向変換させるとともに、面状導光板１８の軸線に対して平行な方向に近づくように方向変換させる。このようにして、面状導光板１８に入射した光を有効に利用することができるようになり、明るさを改善することができる。
以上説明したように、本発明によれば、面状導光板の端面に線状導光板の機能を有する複数のプリズムを配置することにより、簡単な構造で光学特性を維持し、低コストを実現することができる照明装置及び液晶表示装置を得ることができる。
【図１】
2005017407.tif 000004
【図２】
2005017407.tif 000005
【図３】
2005017407.tif 000006
【図４】
2005017407.tif 000007
【図５】
2005017407.tif 000008
【図６】
2005017407.tif 000009
【図７】
2005017407.tif 000010
【図８】
2005017407.tif 000011
【図９】
2005017407.tif 000012
【図１０】
2005017407.tif 000013
【図１１】
2005017407.tif 000014
【図１２】
2005017407.tif 000015
【図１３】
2005017407.tif 000016
【図１４】
2005017407.tif 000017
【図１５】
2005017407.tif 000018
【図１６】
2005017407.tif 000019
【図１７】
2005017407.tif 000020
【図１８】
2005017407.tif 000021
【図１９】
2005017407.tif 000022
【図２０】
2005017407.tif 000023
【図２１】
2005017407.tif 000024
【図２２】
2005017407.tif 000025
【図２３】
2005017407.tif 000026
【図２４】
2005017407.tif 000027
【図２５】
2005017407.tif 000028
【図２６】
2005017407.tif 000029
【図２７】
2005017407.tif 000030
【国際調査報告】
2005017407.tif 000031
2005017407.tif 000032
2005017407.tif 000033
2005017407.tif 000034